(57)【要約】      （修正有）【課題】ボールのようなものを収納保管する収納体であってボール等が容易に挿脱できる簡便安価な構造のボール等の収納籠を提供する。【解決手段】収納籠は、左右面及び前後面の四面及び上面を棒体２ａ〜２ｃで枠組みし棒体の下部にキャスタ３を配置し人間の背丈より低く組み付けられている棒組体２と棒組体を上方から覆って垂下し下面に閉止面１ａを形成する被覆体１とからなり、被覆体の四面の一部に着離自在に左右に開口する開口部を形成する。被覆体は網状又は半透明状であるのが好ましい。【選択図】図１
0003220654.tif 000002
【実用新案登録請求の範囲】
【請求項１】
ボール等を手動で収納又は取り出しすべく形成される収納籠であって、該収納籠は、左右面及び前後面の四面及び上面を棒体で枠組みし前記棒体の下部にキャスタを配置し人間の背丈より低く組み付けられている棒組体と該棒組体を上方から覆って垂下し下面に閉止面を形成する被覆体とからなり、該被覆体の前記四面の一部に着離自在に左右に開口する開口部を形成することを特徴とするボール等の収納籠。
【請求項２】
前記被覆体が網状又は半透明状のものからなることを特徴とする請求項１に記載のボール等の収納籠。
【考案の詳細な説明】
【技術分野】
【０００１】  本考案は、例えばバレーボールやバスケットボール等のボールを不使用時には手動で容易に、かつ安全に収納保管が出来、使用時には容易に取り出すことが出来るボール等の収納籠に関する。
【背景技術】
【０００２】  従来一般に使用されているボール等の収納籠１００Ａとしては図３に示すものがある。このものは四隅に支柱２Ａを設け、四隅の支柱２Ａを囲むと共に下面に閉止面１Ｂを形成し上面に開口部８Ａを形成する被包体１Ａとからなり上面までの高さがＨのものからなる。
この高さＨが地表７より高い寸法のものからなるとボール５を挿入することが難しく、不使用時の収納が容易に出来ない問題点がある。また、逆に高さＨが人間の身長より低い寸法のものからなるとボール等の収納籠１００Ａの存在が邪魔になる問題点がある。
一方、このボール等の収納籠に関する公知技術としては数多くのものがあるが本考案に比較的似ているものとして、例えば「特許文献１」が挙げられる。
【先行技術文献】
【特許文献】
【０００３】
【特許文献１】特開２００１−３０９９９７号（図１０）
【考案の概要】
【考案が解決しようとする課題】
【０００４】  「特許文献１」の「特開２００１−３０９９９７号」の「球技用ボール入れ籠」は、立設する三本の支柱（２）に袋状のボール収納籠（８）を取り付けたものからなるが、この支柱（２）が縮閉可能に形成され支柱（２）及びボール収納袋（８）の全体が折り畳み可能となり収納スペースを小さくする点に特徴を有するものである。よって、後に説明する本考案のようにボールの挿脱を容易にするものとは相異する。また、その他の公知文献でも本考案と同一又は類似にするものは本考案の出願人の調査では見当たらない。【０００５】  本考案は、以上の事情に鑑みて考案されたものであり、開口部が人間の手の届く位置に有りボールの不使用時には手動で容易に、かつ安全に収納，保管出来、ボールの使用時には容易に取り出すことが出来るボール等の収納籠を提供することを目的とする。
【課題を解決するための手段】
【０００６】  本考案は、以上の目的を達成するために請求項１の考案は、ボール等を手動で収納又は取り出しすべく形成される収納籠であって、該収納籠は、左右面及び前後面の四面及び上面を棒体で枠組みし前記棒体の下部にキャスタを配置し人間の背丈より低く組み付けられている棒組体と該棒組体を上方から覆って垂下し下面に閉止面を形成する被覆体とからなり、該被覆体の前記四面の一部に着離自在に左右に開口する開口部を形成することを特徴とする。【０００７】  また、請求項２の考案は、前記被覆体が網状又は半透明状のものからなることを特徴とする。
【考案の効果】
【０００８】  本考案の請求項１のボール等の収納籠によれば、ボールを収納する被覆体の四面の内の少なくとも一面の手の届く位置に開口部を着離自在に左右に開口する形態に配置することにより、ボールの不使用時には開口部を閉止することにより容易に被覆体内にボールを手動で収納することが出来る。また、ボールは開口部を閉止することにより安全に保管することが出来る。一方、ボールの使用時には開口部を開口することにより被覆体内から容易に取り出すことが出来る。また、ボール等の収納籠の高さを人間の手の届く高さにすることによりボールの出し入れの動作が容易に出来ると共に高さを特別低くする必要がなく邪魔になることもない。【０００９】  また、請求項２のボール等の収納籠によれば、収納籠が網状又は半透明状のものからなるため、保管されているボールを目視することが出来、取り出し作業が間違いなく出来る利点が有る。
【図面の簡単な説明】
【００１０】
【図１】  本考案のボール等の収納籠の全体構造を示す斜視図。
【図２】  ボールの収納又は取り出しのため開口部を開いた状態を示すボール等の収納籠の斜視図。
【図３】  従来のボール等の収納籠の概要構造を示す模式的斜視図。
【考案を実施するための形態】
【００１１】  以下、本考案のボール等の収納籠の実施の形態を図面を参照して詳述する。
【実施例１】
【００１２】  図１に示すように、本考案のボール等の収納籠１００は、棒組体２と被覆体１等とからなる。【００１３】  棒組体２は四隅の棒体の支柱２ａと支柱２ａの上部を互いに連結する連結棒２ｂと四隅の支柱２ａ間を斜めに連結する補強棒体２ｃからなる。また、支柱２ａの下部には地表７に接するキャスタ３が設けられている。【００１４】  一方、被覆体１は支柱２ａ，連結棒２ｂ，補強棒体２ｃから枠組みされている棒組体２を上方から覆って下方に垂下し下面に閉止面１ａを形成する布体状のものからなり、左右，前後の四面の一部に左右に開口する開口部４を形成するものからなる。なお、この開口部４は閉止手段６（例えばチャック）により開口又は閉止される。図２は開口部４を開口しボール５を被覆体１の内部に収納した状態を示す。【００１５】  前記のようにボール５の不使用時には図２に示すように開口部４を開口し手動により被覆体１の内部に収納して閉止手段６を閉止すればよく、この作業は開口部４が人間の手の届く位置に形成されているため容易に出来る。ボール５は被覆体１の下部の閉止面１ａ上に安定して保管される。また、使用時には開口部４を左右に開くことにより容易にボール５の取り出しが出来る。【００１６】  また、被覆体１は  布体でもよいが図示のように網状又は半透明状のものが好ましく、内部の収納状態が解るため安全管理が出来る。【００１７】  また、開口部４としては四面の一部に設けたが複数面又は全面に設けてもよい。【００１８】  本考案は、以上の内容のものからなるが、本考案は以上の内容に限定するものではなく同一技術的範疇のものが適用されることは勿論である。
【産業上の利用可能性】
【００１９】  本考案のボール等の収納籠は競技用等に用いるすべてのボールの収納保管に適用される他、挿脱を必要とする他の部材にも応用可能であり、その利用範囲は広い。
【符号の説明】
【００２０】１      被覆体
１ａ    閉止面
２      棒組体
２ａ    支柱
２ｂ    連結棒
２ｃ    補強棒体
３      キャスタ
４      開口部
５      ボール
６      閉止手段（チャック）
７      地表
１００  ボール等の収納籠
【図１】
0003220654.tif 000003
【図２】
0003220654.tif 000004
【図３】
0003220654.tif 000005